(57)【要約】【課題】磁性体と非磁性体との熱膨張の差により磁性体の変形あるいは磁性体平面部と非磁性体接合部に浮きが発生し、加熱時の異音の発生や加熱効率が低下すること。【解決手段】鍋本体（非磁性体）１に一体で成型されたボス４と、ステンレス板（磁性体）２に設けた穴５とにクリアランスｌを設けてカシメて鍋本体１とステンレス板２とを締結することにより加熱調理したさいにステンレス板２と鍋本体１との膨張率の差をクリアランスｌで吸収するようにしたものである。【選択図】図１
2006000357.tif 000002
【特許請求の範囲】
【請求項１】
非磁性体に一体で成型されたボスと、磁性体に設けた穴とにクリアランスを設けてカシメて前記非磁性体と前記磁性体とを締結するＩＨ加熱装置用鍋。
【請求項２】
カシメ後のボス頭部分の凸部の外周囲の磁性体に、あらかじめ凹部を設ける請求項１に記載のＩＨ加熱装置用鍋。
【請求項３】
複数のボスの形と、嵌合する複数の穴の形とを、多角形、丸、長丸、楕円等の異なる形から少なくとも二種以上を組み合わせる請求項１または２に記載のＩＨ加熱装置用鍋。
【請求項４】
カシメ後のボス頭を、ボスと嵌合する穴よりも大きくし、前記ボス頭は、前記ボスと前記穴とのクリアランスを覆う請求項１〜３のいずれか１項に記載のＩＨ加熱装置用鍋。
【請求項５】
ボスと嵌合する穴の端面は、カシメ後のボス頭に近い側のクリアランスが遠い側より大きくなるように端面処理を施す請求項１〜４のいずれか１項に記載のＩＨ加熱装置用鍋。
【請求項６】
ボスと嵌合する穴とのクリアランスは、全周を均一にしない請求項１〜５のいずれか１項に記載のＩＨ加熱装置用鍋。
【発明の詳細な説明】
【技術分野】
【０００１】
本発明は、ＩＨ加熱装置の被加熱物として調理に使用するＩＨ加熱装置用鍋に関するものである。
【背景技術】
【０００２】
従来、この種のＩＨ加熱装置用鍋は、鍋本体を非磁性体の軽量で熱伝導率の高いアルミニウム合金で構成し、その裏底面に電磁誘導加熱する磁性体のフェライト系ステンレス板を接合させている（例えば、特許文献１参照）。
【特許文献１】特開２００３−１０２６１６号公報
【発明の開示】
【発明が解決しようとする課題】
【０００３】
しかしながら、前記従来の構成では、磁性体の端面外周部と非磁性体とが密着し、密封状態でカシメ止めされており、加熱調理したさいに、磁性体と非磁性体との熱膨張の差により磁性体の変形あるいは磁性体平面部と非磁性体接合部に浮きが発生し、加熱時の異音の発生や加熱効率が低下するという課題を有していた。
【０００４】
本発明は、前記従来の課題を解決するもので、磁性体と非磁性体との膨張率の差を吸収することができ、安定した効率のよい加熱ができるようにしたＩＨ加熱装置用鍋を提供することを目的とする。
【課題を解決するための手段】
【０００５】
前記従来の課題を解決するために、本発明のＩＨ加熱装置用鍋は、非磁性体に一体で成型されたボスと、磁性体に設けた穴とにクリアランスを設けてカシメて前記非磁性体と前記磁性体とを締結することにより、加熱調理したさいに磁性体と非磁性体との膨張率の差をクリアランスで吸収するようにしたものである。
【０００６】
これによって、磁性体の変形及び浮きを防止することができる。
【発明の効果】
【０００７】
本発明のＩＨ加熱装置用鍋は、磁性体と非磁性体との膨張率の差をクリアランスで吸収することができ、これによって磁性体の変形及び浮きを防止し、安定した効率のよい加熱ができる。
【発明を実施するための最良の形態】
【０００８】
第１の発明は、非磁性体に一体で成型されたボスと、磁性体に設けた穴とにクリアランスを設けてカシメて前記非磁性体と前記磁性体とを締結することにより、加熱調理したさいに磁性体と非磁性体との膨張率の差をクリアランスで吸収することが可能となり、これによって磁性体の変形及び浮きを防止し、安定した効率のよい加熱ができる。
【０００９】
第２の発明は、特に、第１の発明のカシメ後のボス頭部分の凸部の外周囲の磁性体に、あらかじめ凹部を設けることにより、ボス頭頂部を鍋底平面と略同一面にすることが可能となり、使用者にとって違和感の少ない鍋底にできる。
【００１０】
第３の発明は、特に、第１または２の発明の複数のボスの形と、嵌合する複数の穴の形とを、多角形、丸、長丸、楕円等の異なる形から少なくとも二種以上を組み合わせることにより、鍋底の熱分布による応力歪を任意に選定することが可能となり、耐久性の良い鍋底にできる。
【００１１】
第４の発明は、特に、第１〜３のいずれか１つの発明のカシメ後のボス頭を、ボスと嵌合する穴よりも大きくし、前記ボス頭は、前記ボスと前記穴とのクリアランスを覆うことにより、クリアランスが異物でつまることがないことになり、安定した効率のよい加熱ができる。
【００１２】
第５の発明は、特に、第１〜４のいずれか１つの発明のボスと嵌合する穴の端面は、カシメ後のボス頭に近い側のクリアランスが遠い側より大きくなるように端面処理を施すことにより、磁性体のＩＨ加熱装置の電磁誘導部に近いボス頭側の方が加熱調理時に高温になり膨張も大きいことに対応していることにより、クリアランスが確保され、安定した効率のよい加熱ができる。
【００１３】
第６の発明は、特に、第１〜５のいずれか１つの発明のボスと嵌合する穴とのクリアランスは、全周を均一にしないことにより、温度分布の差により全周で熱膨張の大きさが異なる場合でも、少なくとも隙間の広い方に膨張する余地が残されることになり、クリアランスが確保され、熱応力歪を緩和することができるため、安定した効率のよい加熱ができる。
【００１４】
以下、本発明の実施の形態について、図面を参照にしながら説明する。なお、この実施の形態によって本発明が限定されるものではない。
【００１５】
（実施の形態１）
図１〜図３は、本発明の第１の実施の形態のＩＨ加熱装置用鍋の概略構成図である。図１の（ａ）は側断面図、（ｂ）は実線Ａ近くの部分拡大図、（ｃ）は穴の端面に端面処理を施した例の部分拡大図である。図２は、カシメ後のボス頭部分の凸部の外周囲の磁性体に、あらかじめ凹部を設ける例の部分拡大図である。図３は、ステンレス板の平面図である。
【００１６】
図１〜図３に示したＩＨ加熱装置用鍋は、非磁性体であるアルミニウム合金製の鍋本体１の裏底面２０に、磁性体であるフェライト系ステンレス板（磁性金属板）２をプレス加工によって、鍋本体側からのカシメ止めで締結するものである。
【００１７】
図１（ａ）、（ｂ）において、ステンレス板２には穴５が分配配置して複数設けられており、穴５とクリアランスｌをあけて貫通して突出する複数のボス４に加圧押し潰しによるボス頭３を形成しカシメ加工を行い、ステンレス板２の各穴５は鍋本体１にカシメ止めされている。
【００１８】
このように、本実施の形態１においては、ボス４と穴５とにはカシメ後にクリアランスｌを設けて、材質の異なる鍋本体１とステンレス板２との加熱調理したさいの膨張率の差をクリアランスｌで吸収することが可能となる。これによって、ＩＨ加熱装置の高周波磁界により主に誘導加熱されるステンレス板２の変形及び浮きを防止し、安定した効率のよい加熱ができる。
【００１９】
また、ボス頭３はクリアランスｌを覆うことにより、クリアランスが異物でつまることがないことになり、前述と同様に安定した効率の良い加熱ができる。
【００２０】
また、図１（ａ）、（ｃ）において、ステンレス板２の穴５の端面２１にカシメ後のボス頭３に近い側のクリアランスＬ１、Ｌ２が遠い側のクリアランスｌ１、ｌ２より大きくなるように端面処理を施している。これによって、ＩＨ加熱装置の電磁誘導部に近いボス頭３側の方が加熱調理時に高温になり膨張も大きいことに対応しており、膨張時に所定のクリアランスを端面２１で確保することが可能になり、前述と同様に安定した効率の良い加熱ができる。
【００２１】
また、内周ｌ２、Ｌ２と外周ｌ１、Ｌ１で温度分布が異なる場合、たとえば加熱調理時に外周が内周より高温になる場合には、あらかじめ、クリアランスｌ１＞クリアランスｌ２及びクリアランスＬ１＞クリアランスＬ２となるように、ステンレス板２の穴５の端面２１の端面処理を施している。これによって、全周で熱膨張の大きさが異なる場合でも、少なくとも隙間の広い方ｌ１、Ｌ１に膨張する余地が残されることになり、所定のクリアランスが確保され、熱応力歪を緩和することができるため、安定した効率のよい加熱ができる。
【００２２】
また、図１（ａ）、図２において、カシメ後の鍋本体１のボス頭３部分の凸部の外周囲９のステンレス板２に、あらかじめ凹部７を設けることにより、ボス頭３頂部を鍋底平面１０と略同一面にすることが可能となり、使用者にとって違和感の少ない鍋底にできる。
【００２３】
また、図３において、図示してない複数のボスの形と、嵌合するステンレス板２の複数の穴５の形とを、多角形、丸、長丸、楕円等の異なる形から、たとえば図示するように円と楕円とを組み合わせることにより、鍋底の熱分布に応じたボスと穴とのクリアランスの配置を選択し、応力歪を任意に選定することが可能となり、耐久性の良い鍋底にできる。
【産業上の利用可能性】
【００２４】
以上のように、本発明にかかるＩＨ加熱装置用鍋は、磁性体と非磁性体との膨張率の差をクリアランスで吸収することができ、これによって磁性体の変形及び浮きを防止し、安定した効率のよい加熱が可能となるので、ＩＨ加熱装置の被加熱物として使用する、鍋、フライパン、プレート、やかん等の用途にも適用できる。
【図面の簡単な説明】
【００２５】
【図１】（ａ）本発明の第１の実施の形態のＩＨ加熱装置用鍋の側断面図（ｂ）本発明の第１の実施の形態のＩＨ加熱装置用鍋の実線Ａ近くの部分拡大図（ｃ）本発明の第１の実施の形態のＩＨ加熱装置用鍋の穴の端面に端面処理を施した例の部分拡大図
【図２】本発明の第１の実施の形態のＩＨ加熱装置用鍋のカシメ後のボス頭部分の凸部の外周囲の磁性体に、あらかじめ凹部を設ける例の部分拡大図
【図３】本発明の第１の実施の形態のＩＨ加熱装置用鍋のステンレス板の平面図
【符号の説明】
【００２６】
１  鍋本体（非磁性体）
２  ステンレス板（磁性体）
３  鍋本体のボス頭
４  鍋本体のボス
５  ステンレス板の穴
７  磁性体の凹部
１０  鍋底平面
２０  鍋本体の裏底面
２１  ステンレス板の穴の端面
【図１】
2006000357.tif 000003
【図２】
2006000357.tif 000004
【図３】
2006000357.tif 000005